(57)【特許請求の範囲】
【請求項１】
金型枠（１）に形成した型穴（２）と、該型穴（２）内に昇降可能に備えられ上面に複数の凹面（３ａ）を形成した下型（３）と、下型（３）の上部に位置して昇降可能に備えた上型（４）と、金型枠（１）の一側方の上面において上記型穴（２）に対して進退可能に備えた有孔板（５）と、該有孔板（５）の上面に上記型穴（２）に対して進退可能に備えた第１原料投入箱（７）と、金型枠（１）の他側方の上面に上記型穴（２）に対して進退可能に備えた第２原料投入箱（８）とからなり、
上記有孔板（５）の略前半部には、上記下型（３）に形成した各凹面（３ａ）に合致する複数の材料投入穴（５ｃ）を形成し、略後半部は無孔部（５ｂ）とし、上記各材料投入穴（５ｃ）の周面は下広がりのテーパ面（５ｄ）とし、更に、上記有孔板（５）の下面には、上記各材料投入穴（５ｃ）を除いて弾性板（６）を固着し、
上記下型（３）、上型（４）、有孔板（５）、第１及び第２原料投入箱（７）（８）には夫々駆動手段を設けたことを特徴とするタイル成形装置。
【発明の詳細な説明】
【０００１】
【発明の属する技術分野】
本発明は舗装用タイル、建設用タイル等のタイルの成形装置に関する。
【０００２】
【従来の技術】
従来、例えば舗装用タイルにおいて、視覚障害者用として、図１４に示すようなタイル本体１００の表面に裁頭円錐状の凸部１０１を点在させた位置表示型タイル１０２や、図１５に示すようなタイル本体１０３の表面に凸条１０４を並設した誘導表示型タイル１０５が使用されている。
【０００３】
このようなタイルの成形方法は、上記の凸部１０１又は凸条１０４を形成する凹部または凹条を表面に形成した下型の上部に１種類の原料を充てんして、タイル本体部と凸部又は凸条を同一原料で成形している。
【０００４】
【発明が解決しようとする課題】
ところで、上記のようなタイル１０２や１０５は、視覚障害者への位置表示や誘導表示から、通路の特定位置に敷設するとともに一般人に該タイルと他の部分のタイルとを識別させるためにそのタイル１０２や１０５は他のタイルの色と異色（通常注意色である黄色）に着色されている。
【０００５】
このように着色するタイルを上記従来の成形方法で成形すると、そのタイル全体、すなわち凸部１０１とタイル本体１００又は凸条１０４とタイル本体１０３が同一色で形成される。
【０００６】
そのため、近年、舗装のデザイン性の高まりから、上記のようなタイル全体が同一色のものとは別に上記の凸部１０１や凸条１０４のみをタイル本体１００や１０５とは異色（例えば黄色）にしたい要望に対しては上記の従来の成形方法では対応できない。
【０００７】
そこで本発明は、上記視覚障害者用タイルやその他のタイルにおいて、タイル表面に形成する凸部や凸条のみをタイル本体とは異色に成形することが容易なタイルの成形装置を提供することを目的とするものである。
【０００８】
【課題を解決するための手段】
上記の課題を解決するために、本発明は、金型枠（１）に形成した型穴（２）と、該型穴（２）内に昇降可能に備えられ上面に複数の凹面（３ａ）を形成した下型（３）と、下型（３）の上部に位置して昇降可能に備えた上型（４）と、金型枠（１）の一側方の上面において上記型穴（２）に対して進退可能に備えた有孔板（５）と、該有孔板（５）の上面に上記型穴（２）に対して進退可能に備えた第１原料投入箱（７）と、金型枠（１）の他側方の上面に上記型穴（２）に対して進退可能に備えた第２原料投入箱（８）とからなり、
上記有孔板（５）の略前半部には、上記下型（３）に形成した各凹面（３ａ）に合致する複数の材料投入穴（５ｃ）を形成し、略後半部は無孔部（５ｂ）とし、上記各材料投入穴（５ｃ）の周面は下広がりのテーパ面（５ｄ）とし、更に、上記有孔板（５）の下面には、上記各材料投入穴（５ｃ）を除いて弾性板（６）を固着し、
上記下型（３）、上型（４）、有孔板（５）、第１及び第２原料投入箱（７）（８）には夫々駆動手段を設けたことを特徴とするものである。
【０００９】
本発明においては、有孔板（５）を前進させてその材料投入穴（５ｃ）部を下型（３）の凹面（３ａ）上に位置させ、その後、下型（３）を上昇させてその上面を、上記有孔板（５）の下面に固着した弾性板（６）の下面に密着させる。そして第１原料投入箱（７）を前進させてその第１原料（Ａ）を上記材料投入穴（５ｃ）を通じて上記凹面（３ａ）内に投入する。
【００１０】
このとき、有孔板（５）の下面に弾性板（６）が設けられていることにより下型（３）の上面が弾性板（６）に密着し、第１原料（Ａ）が下型（３）の凹面（３ａ）以外の上面に侵入付着することがない。
【００１１】
そして、第１原料投入箱（７）を後退させた後に下型（３）を所望量下降させる。このとき、有孔板（５）の材料投入穴（５ｃ）が下広がりのテーパ面（５ｄ）に形成されているので、その材料投入穴（５ｃ）内に残存していた第１原料（Ａ）が凹面（３ａ）内の原料と共に確実に抜き取られる。その後に有孔板（５）を型穴（２）上から後退させる。このとき、上記のように材料投入穴（５ｃ）内から第１原料（Ａ）が確実に抜き取られているので、有孔板（５）の後退時に、第１原料（Ａ）を下型（３）上に撒き散らすことがない。その後に第２原料投入箱（８）を型穴（２）上に前進させて、下型（３）上に第２原料（Ｂ）を投入する。
【００１２】
そして、第２原料投入箱（８）を後退して、上型（４）を下降して投入された原料を加圧し、その後脱型する。
【００１３】
【発明の実施の形態】
図１乃至図１３に示す実施例に基づいて本発明の実施の形態について説明する。
図１乃至図１１はタイルの成形工程を示し、その成形機における金型枠１には成形するタイルの外周形状と同形の型穴２が上下に貫通して形成されている。該型穴２内には下型３が摺動可能に備えられているとともに該下型３は図示しない昇降駆動手段により昇降されるようになっている。
【００１４】
上記下型３の上面（表面）には、凹面３ａが形成されている。該凹面３ａは、成形するタイル表面に形成したい凸部（例えば図１４に示す凸部１０１）や凸条（例えば図１５に示す凸条１０４）の外面に沿う凹面に形成するもので、該凹面３ａの形状、数、配置は所望に設定する。
【００１５】
上記下型３の上部には上型４が対向配置されているとともに図示しない昇降駆動手段により昇降されるようになっている。該上型４の下面には、タイルの裏足を形成する突型４ａが形成されている。
【００１６】
上記金型枠１の一方の上面には有孔板５が上記型穴２上に前進したり型穴２から後退するように移動可能に備えられている。該有孔板５の板厚は、その強度上から約５ｍｍ程としている。更に、該有孔板５は、その前側に上記の型穴２の上面を覆う有孔部５ａを有し、後部に無孔部５ｂを有し、図示しない進退駆動手段によって進退移動するようになっている。更に上記有孔部５ａには、これが型穴２の上面に位置した場合に、上記下型３に形成した各凹面３ａ上に位置する材料投入穴５ｃが複数形成されている。該各材料投入穴５ｃの内壁面５ｄの形状は、図１２に示すように、その下端径Ｄ1を上記凹面３ａの上端開口径Ｄ1と同等に、また上端径Ｄ2をＤ1より小径にした下広がりのテーパ面に形成されている。
【００１７】
また、上記有孔板５の下面にはゴム等の弾性板６が固着されているとともに、該弾性板６には、上記材料投入穴５ｃに位置して穴６ａが形成されている。
【００１８】
上記有孔板５の上面には、上下が開口した第１原料投入箱７が、上記型穴２上に前進したりこれより後退するように摺動可能に備えられており、図示しない進退駆動手段により進退移動するようになっている。
【００１９】
上記金型枠１の他方の上面には、上下が開口した第２原料投入箱８が、上記型穴２上に前進したりこれより後退するように摺動可能に備えられており、図示しない進退駆動手段により進退移動するようになっている。
【００２０】
次に図１乃至図１１に基づいてタイルの成形工程を説明する。
図１は、下型３が下降し、上型４が上方へ退避し、有孔板５が後退し、この有孔板５の無孔部５ｂまで第１原料投入箱７が後退し、更に第２原料投入箱８が後退している状態を示す。
【００２１】
また、第１原料投入箱７内にはホッパ等から第１原料Ａが投入され、第２原料投入箱８内にはホッパ等から第２原料Ｂが投入されている。
上記第１原料Ａ及び第２原料Ｂとしては、例えば長石等の磁器質材料に所望の顔料を混合したものを使用する。顔料の種類は着色したい色により適宜選定するもので、例えばグレーの場合はクローム鉄鉱、茶色の場合は酸化鉄、緑色の場合は酸化クロム、黄色の場合は酸化チタンと酸化アルミを使用する。
【００２２】
第１原料Ａの顔料と第２原料Ｂの顔料とは異色のものを使用し、例えば前記図１４及び図１５に示すような視覚障害者用タイルの場合は、第１原料Ａの顔料として黄色の顔料を使用し、第２原料Ｂの顔料としてグレーの顔料を使用する。
【００２３】
次に、上記図１の状態から有孔板５と第１原料投入箱７を図２に示すように共に前進させ、有孔板５の有孔部５ａを型穴２上に位置させる。このとき、第１原料投入箱７は無孔部５ｂ上に位置している。
【００２４】
次に図３に示すように下型３を上昇し、その上面を有孔板５の下面に固着した弾性板６の下面に密着させる。次に、図４に示すように第１原料投入箱７を型穴２の上部位置へ前進させる。これにより、第１原料投入箱６内の第１原料Ａが、自重により有孔板５の材料投入穴５ａを通じて各凹面３ａ内に充てんされる。このとき、下型３の上面が有孔板５の下面に固着した弾性板６に密着しているため、下型３の上面には第１原料Ａが侵入付着しない。
【００２５】
上記の第１原料投入工程後、図５に示すように、第１原料投入箱７を型穴２の上部から後退させて有孔板５の無孔部５ｂ上に退避させ、その後図６に示すように凹面３ａ内に第１原料Ａが充てんされた下型３が、形成すべきタイルにおけるタイル本体の厚み分だけ下降し、図６に示すように下型３上に型空間２ａを形成する。このとき、有孔板５の材料投入穴５ｃ内に残存していた第１原料Ａは、凹面３ａ内の第１原料Ａと共に抜き取られるが、特に、材料投入穴５ｃが下広がりのテーパ面５ｄに形成されているので、その原料の抜き取りが確実に行われる。その後、図７に示すように有孔板５が後退する。このとき、上記のように材料投入穴５ｃ内から第１原料Ａが確実に抜き取られているので、第１原料Ａを下型３上に撒き散らすことがない。
【００２６】
次に、図８に示すように第２原料投入箱８が上記型穴２上に前進し、その第２原料Ｂを上記型空間２ａ内へ充てんする。
次に図９に示すように、上記第２原料投入箱８が後退した後に、図１０に示すように上型４が下降し、その上型４の下面により上記充てんされた第２原料Ｂの上面を加圧する。この加圧により、上記第１原料Ａ及び第２原料Ｂが同時に圧縮されて、一体化した所定厚のタイル素地が成形されるとともに上型４の突型４ａにより裏足形成溝１０ｃが成形される。
【００２７】
上記加圧後、下型３と上型４を、上記タイル素地を挟持した状態で同時に共に上昇させ、その後更に図１１に示すように上型４を上昇退避させてタイル素地を脱型する。
【００２８】
上記成形されたタイル素地の断面を図１３に示す。この図は上記成形状態とは表裏が逆向きになっており、この状態が使用状態である。
このタイル素地１０は、第２原料Ｂのみからなるタイル本体１０ｂの表面に、第１原料Ａのみからなる凸部１０ａが一体成形され、その裏面に裏足形成溝１０ｃが形成されている。
【００２９】
そして、このタイル素地１０を焼成すると、タイル本体１０ｂの顔料と凸部１０ａの顔料が発色し、例えばタイル本体１０ｂ部をグレーに、凸部１０ａのみを黄色にすることができる。
【００３０】
また、上記の有孔板５により、第１原料Ａが、凸部１０ａ以外の部分にこぼれて付着しないようにしたことにより、凸部１０ａ以外の部分の表面が第１原料Ａの色で汚れることがなく、凸部１０ａの表面とタイル本体１０ｂの表面との境界が明確に色分けされ、仕上げがきれいになる。
【００３１】
【発明の効果】
以上のようであるから、本発明によれば、下型の凹面に充てんされる原料を、タイル本体部を成形する型部に充てんされる原料と異種のものにして、凹面により成形される凸部や凸条のみを他のタイル本体部と異色にすることができる。したがって、例えば前記図１４及び図１５に示す視覚障害者用タイルにおいて、そのタイル本体部を一般の舗装タイルと同色にし、その凸部や凸条のみを黄色等の注意色にすることができ、デザイン性の向上を図ることができる。
【００３２】
また、上記視覚障害者用タイル以外の建築用タイル等においても、そのタイル表面に突設した模様等のみをタイル本体部に対して異色にしてデザイン性の向上を図ることができる。
【００３３】
更に、有孔板及びその下面に固着した弾性板により、下型の凹面に充てんする第１原料が、下型の凹面以外の表面に付着するのを防止できるので、成形されたタイルにおける上記凸部や凸条以外の表面が第１原料で汚れることがなく、凸部や凸条とタイル本体表面との境界が明確に色分けされ、仕上げがきれいになる。
【図面の簡単な説明】
【図１】本発明のタイル成形装置を示すもので、原料充てん前の状態を示す図。
【図２】同じく有孔板と第１原料投入箱の前進状態を示す図。
【図３】同じく下型の上昇状態を示す図。
【図４】同じく第１原料の充てん状態を示す図。
【図５】同じく第１原料投入箱の半後退状態を示す図。
【図６】同じく下型の下降状態を示す図。
【図７】同じく有孔板と第１原料投入箱の後退状態を示す図。
【図８】同じく第２原料投入箱の前進状態を示す図。
【図９】同じく第２原料投入箱の後退状態を示す図。
【図１０】同じく上型による加圧状態を示す図。
【図１１】同じく脱型状態を示す図。
【図１２】有孔板の拡大断面図。
【図１３】本発明により成形されたタイルの側断面図。
【図１４】本発明により成形するタイルの１例を示すもので、凸部を形成した視覚障害者用タイルの斜視図。
【図１５】図１３と同様の視覚障害者用タイルであって凸条を形成したタイルの斜視図。
【符号の説明】
１…金型枠                ２…型穴
３…下型                  ３ａ…凹面
４…上型                  ５…有孔板
５ｂ…無孔部              ５ｃ…材料投入穴
６…弾性板                ７…第１原料投入箱
８…第２原料投入箱        Ａ…第１原料
Ｂ…第２原料
【図１】
0003839114.tif 000002
【図２】
0003839114.tif 000003
【図３】
0003839114.tif 000004
【図４】
0003839114.tif 000005
【図５】
0003839114.tif 000006
【図６】
0003839114.tif 000007
【図７】
0003839114.tif 000008
【図８】
0003839114.tif 000009
【図９】
0003839114.tif 000010
【図１０】
0003839114.tif 000011
【図１１】
0003839114.tif 000012
【図１２】
0003839114.tif 000013
【図１３】
0003839114.tif 000014
【図１４】
0003839114.tif 000015
【図１５】
0003839114.tif 000016